(57)【要約】 【課題】管を突き合せてハウジング型継手で連結して管路を形成する作業において、管端を付き合わせる作業を容易にするために、他方管の管端を載置する載置舌片を一方の管端内周面から突設する構成を実現する補助工具を提供する。【解決手段】上端に所定の大きさの載置舌片部１１を傘状に設けると共に、下方に動作ガイド部１２を設けた主縦杆１と、下端に足板部２１を設けて前記動作ガイド部１２に上下スライド自在に組み込んだ動作縦杆２と、前記動作縦杆の下方移動操作及び遠隔箇所から所定の上方移動操作をなす操作機構部３とで構成する。【選択図】図２
2014156871.tif 000002
【特許請求の範囲】
【請求項１】
上端に所定の大きさの載置舌片部を傘状に設けると共に、下方に動作ガイド部を設けた主縦杆と、下端に足板部を設けて前記動作ガイド部に上下スライド自在に組み込んだ動作縦杆と、前記動作縦杆の下方移動操作及び遠隔箇所から所定の上方移動操作をなす操作機構部とで構成したことを特徴とする管接続用補助工具。
【請求項２】
操作機構部を、先端を主縦杆側に上下回動自在に枢結し、先端に近い中間部分と前記動作縦杆の上端近傍を連結杆で繋ぎ、スライドクランク構造とした操作杆と、前記操作杆に連結して遠隔箇所から操作杆の上方回動操作をなす解除操作部材とで構成してなる請求項１記載の管接続用補助工具。
【請求項３】
操作杆尾端に連結した操作紐を、解除操作部材としてなる請求項２記載の管接続用補助工具。
【発明の詳細な説明】
【技術分野】
【０００１】
本発明は、端面を付き合わせてハウジング型継手によって、架設配管等の管路を構築する際に使用する管接続用補助工具に関するものである。
【背景技術】
【０００２】
ハウジング型継手によって管路を構築する場合には、接続される金属管の端縁近傍に管を一周する浅い凹条又は突条等の係止部を形成しておき、継手の脚部が前係止部に係合して管接続を行っているものである。
【０００３】
前記の継手は、一般にリング状シール（ゴム製）と、シールの外周に位置せしめてなる分割締付けリングと、締付けリングの内径を小さくする方に作用する締付ボルトで構成されており、連結しようとする隣接管の端面を正確に一致せしめ、隣接する両管にまたがってリング状シールを嵌挿すると共に、締付けボルトの操作で金属リングを締付け、締付け金属リングでシールを強圧すると共に、締付け金属リングの脚を係止部に係合してなるものである。
【０００４】
前記の管接続に際して、金属管の連結作業時にその端面を完全に一致させないと、シール並びに締付けリングの装着が確実になされず、後日の管路事故（継ぎ目の破損並びに漏れ）を招いてしまう。然し管の連結作業中に、連結すべき金属管の端面を正確に合致させた状態を保持することは非常に煩雑で、この煩雑さが管路形成の作業能率を低下させている。
【０００５】
前記の対策手段として出願人は先に、金属管の端面に、連結した際の同径管の内周面と一致する外周面を有する載置舌片を突設し、連結しようとする金属管の一方の端口を、他方の金属管の載置舌片に載置して、金属管の接合の作業能率を高めることを提案した（特許文献１）。
【先行技術文献】
【特許文献】
【０００６】
【特許文献１】実開平６−７１９９１号公報。
【発明の概要】
【発明が解決しようとする課題】
【０００７】
ハウジング型継手によって金属管（管路構成管）を連結する際に、前記のとおり金属管の端縁に載置舌片を突設しておくと、連結作業を効率的に且つ確実に行うことができるが、載置舌片を固定した場合、連結対象がエルボ管のような管路を曲げるものでは、その曲げ方向によっては、載置舌片が邪魔になる場合がある。また一般的な金属管は、載置舌片を装備していないために、特に載置舌片を備えた金属管を準備できない作業現場もある。
【０００８】
そこで本発明は、載置舌片を備えない管路構成管の連結作業を補助する管接続用補助工具を提案したものである。
【課題を解決するための手段】
【０００９】
本発明（請求項１）に係る管接続用補助工具は、上端に所定の大きさの載置舌片部を傘状に設けると共に、下方に動作ガイド部を設けた主縦杆と、下端に足板部を設けて前記動作ガイド部に上下スライド自在に組み込んだ動作縦杆と、前記動作縦杆の下方移動操作及び遠隔箇所から所定の上方移動操作をなす操作機構部とで構成したことを特徴とするものである。
【００１０】
而してハウジング継手で連結しようとする管路を構成する管（金属管）の一方端に、動作縦杆を下方移動させて、載置舌片と足板部を管路構成管の内周面に当接させてツッパリ棒状に装着すると共に、前記装着に際して載置舌片の一部を管端から突出させておく。そして連結して管路を構成する他方管内に、動作機構部の所定部分（動作縦杆の上方移動操作に必要な部材）を通しておく。
【００１１】
前記状態では、他方管を載置舌片に載置すると両管端を容易に一致させることができるので、当該状態でハウジング継手を装着して両管を連結する。管連結がなされると、操作機構部を操作して動作縦杆を上方移動させると、ツッパリ固定状態が解除され連結された他方管を通して工具を管路外に取り出し、次の管連結作業を行うものである。
【００１２】
また本発明（請求項２，３）に係る管接続用補助工具は、特に操作機構部を、先端を主縦杆側に上下回動自在に枢結し、先端に近い中間部分と前記動作縦杆の上端近傍を連結杆で繋ぎ、スライドクランク構造とした操作杆と、前記操作杆に連結して遠隔箇所から操作杆の下方回動操作をなす解除操作部材とで構成してなるもので、操作杆を上下回動すると、それに伴って動作縦杆が上下動するもので、操作杆を下方回動位置として動作縦杆を下降させてツッパリ固定状態として、一方管の端部内に装着し、所定の管連結作業を終えると、操作部材を操作して（操作紐を引っ張って）操作杆を上方回動させてツッパリ固定状態を解消し、他方管端から補助工具を引き出すものである。
【発明の効果】
【００１３】
本発明の構成は上記のとおりで、管端を付きあわせて連結することで管路を構成する際に、一方の管に簡単に本発明工具によって載置舌片を付設することできるので、載置舌片を備えていない管を使用しても管連結作業が容易に行うことができたものである。
【図面の簡単な説明】
【００１４】
【図１】本発明の実施形態説明図で、（イ）は短縮時（ロ）は伸長時を示す。
【図２】同使用状態の説明図（斜視図）。
【図３】同図（断面図）。
【図４】同管路説明図（継手装着前）。
【図５】同図（継手装着後の斜視図）。
【図６】同別例の説明図。
【発明を実施するための形態】
【００１５】
次に本発明の実施形態について説明する。実施形態に示した本発明工具は、主縦杆１と、動作縦杆２と、操作機構部３で構成される。
【００１６】
主縦杆１は、上端に工具装着時に管路構成管Ａの管端から突出する所定の大きさの載置舌片部１１を傘状に設けると共に、下方に動作縦杆２の動作を規制する動作ガイド部１２を設けてなる。
【００１７】
動作縦杆２は、下端に足板部２１を設けて前記動作ガイド部１２に上下スライド自在に組み込んだものである。
【００１８】
操作機構部３は、前記動作縦杆２の下方移動操作及び遠隔箇所から所定の上方移動操作をなすもので、操作杆３１と連結杆３２と操作紐（操作部材）３３で構成される。
【００１９】
操作杆３１は、先端を主縦杆１側（動作ガイド部１２の上端近傍）に上下回動自在に枢結し、連結杆３２は、前記操作杆３１の先端に近い中間部分と動作縦杆２における上端近傍を繋いで、全体でスライドクランク構造としたものである。また操作紐３３は、所定の長さを備え、操作杆３１の尾端に結んだものである。
【００２０】
而してハウジング継手で連結して管路を形成する際に前記工具を使用するもので、管路を構成する一方の管Ａの連結する端部において、操作杆３１を下方回動させると、全体が伸長して載置舌片部１１と足板部２１が管Ａの内周面に当接して、工具はツッパリ固定状態で装着される。
【００２１】
前記の装着に際しては、操作杆３１を管の開口側とし、更に載置舌片部１１の一部を管端から突出させておき、操作紐３３は連結対象である他方管Ｂに挿通しておく。
【００２２】
前記の工具装着によって、管Ａに載置舌片部１１が突設された状態となるので、この載置舌片部１１を利用すると、他方管Ｂの管端との突き合せを容易に行うことができる（図３，４）。
【００２３】
管Ａ，Ｂの両端を一致させると、ハウジング継手Ｃを装着して両管Ａ，Ｂを連結する。そして管連結がなされた後には、操作紐３３を他方管Ｂの開口側から引っ張り、操作杆３１を上方回動させて、動作縦杆２を上方移動させ、工具のツッパリ固定状態を解消し、管Ｂの開口端から工具を取り出し、管Ｂの開口端に工具を固定し次の管連結作業を行うものである。
【００２４】
尚前記実施形態は、動作縦杆２の上下作動にスライドクランク構造を採用し、操作杆３１の回動で動作縦杆２の上下動を操作するようにしたものであるが、本発明の操作機構部３は、動作縦杆２の下方移動操作及び遠隔箇所から所定の上方移動操作を行うことができる構成であれば、その具体的構造は任意である。例えば図６に示すように、操作機構部３ａとして、動作縦杆２がラックピニオン構造３４で上下動するようにして、ピニオンを駆動するフレキシブルワイヤー３５とワイヤー回転部３６を備える構成を採用しても良い。
【符号の説明】
【００２５】
１      主縦杆
１１    載置舌片部
１２    動作ガイド部
２      動作縦杆
２１    足板部
３，３a      操作機構部
３１    操作杆
３２    連結杆
３３    操作紐（操作部材）
３４    ラックピニオン構造
３５    フレキシブルワイヤー
３６    ワイヤー回転部
【図１】
2014156871.tif 000003
【図２】
2014156871.tif 000004
【図３】
2014156871.tif 000005
【図４】
2014156871.tif 000006
【図５】
2014156871.tif 000007
【図６】
2014156871.tif 000008